(57)【要約】【課題】再生制限情報を含むコンテンツの再生制御に優れた再生装置を提供すること。【解決手段】実施形態の再生装置は、設定手段と、検出手段と、再生制御手段とを備える。前記設定手段は、第１の年齢未満の視聴を制限する第１の制限情報を設定する。前記検出手段は、複数番組を含むコンテンツから、前記複数番組に含まれる第１の番組に対して設定された第２の年齢未満の視聴を制限する第２の制限情報を検出する。前記再生制御手段は、前記第１及び第２の制限情報に基づき、前記コンテンツの再生を制御する。【選択図】図３
2012089951.tif 000002
【特許請求の範囲】
【請求項１】
第１の年齢未満の視聴を制限する第１の制限情報を設定する設定手段と、
複数番組を含むコンテンツから、前記複数番組に含まれる第１の番組に対して設定された第２の年齢未満の視聴を制限する第２の制限情報を検出する検出手段と、
前記第１及び第２の制限情報に基づき、前記コンテンツの再生を制御する再生制御手段と、
を備えた再生装置。
【請求項２】
前記再生制御手段は、前記第１及び第２の制限情報に基づき、前記第１の番組の再生を制御する請求項１に記載の再生装置。
【請求項３】
前記検出手段は、前記複数番組に含まれる第２の番組に対して設定された第３の年齢未満の視聴を制限する第３の制限情報を検出し、
前記再生制御手段は、前記第１及び第３の制限情報に基づき、前記第２の番組の再生を制御する請求項２に記載の再生装置。
【請求項４】
前記再生制御手段は、前記第２の年齢が前記第１の年齢を超える場合、前記第１の番組の再生を拒否する請求項１乃至３の何れか１項に記載の再生装置。
【請求項５】
前記再生制限手段は、前記第３の年齢が前記第１の年齢を超える場合、前記第２の番組の再生を拒否する請求項３に記載の再生装置。
【請求項６】
前記再生制御手段は、前記第２の年齢が前記第１の年齢を超えない場合、前記第１の番組を再生し、前記第３の年齢が前記第１の年齢を超えない場合、前記第２の番組を再生する請求項３又は５に記載の再生装置。
【請求項７】
前記再生制御手段は、前記第２の制限情報の未検出に基づき、前記第１の番組を再生し、前記第３の制限情報の未検出に基づき、前記第２の番組を再生する請求項３又は５に記載の再生装置。
【請求項８】
前記再生制御手段は、前記第２の年齢が前記第１の年齢を超える場合、前記コンテンツの再生を拒否する請求項１又は２に記載の再生装置。
【請求項９】
記録開始日時、記録終了日時、及び所定チャンネルの設定に対応して、前記記録開始日時から前記記録終了日時まで前記所定チャンネルを選択し、この選択した前記所定チャンネルで放送される前記第１及び第２の番組を前記コンテンツとして記録する記録手段を備えた請求項１乃至８の何れか１項に記載の再生装置。
【請求項１０】
前記第１及び第２の番組を前記コンテンツとして編集する編集手段を備えた請求項１乃至９の何れか１項に記載の再生装置。
【請求項１１】
前記第１の番組の再生拒否に対応して、年齢制限により前記第１の番組を再生しないことを示す再生不可情報を出力する情報出力手段を備えた請求項４に記載の再生装置。
【請求項１２】
前記再生制御手段は、前記第２の年齢が前記第１の年齢を超える場合、前記第１の番組を第１の画面サイズで再生するプレビュー再生、及び前記第１の番組を前記第１の画面サイズより大きい第２の画面サイズで再生する通常再生を拒否する請求項１乃至３の何れか１項に記載の再生装置。
【請求項１３】
前記再生制御手段は、前記第２の年齢が前記第１の年齢を超える場合、前記コンテンツを第１の画面サイズで再生するプレビュー再生を拒否し、及び前記コンテンツを前記第１の画面サイズより大きい第２の画面サイズで再生する通常再生を拒否する請求項１又は２に記載の再生装置。
【請求項１４】
第１の年齢未満の視聴を制限する第１の制限情報を設定し、
複数番組を含むコンテンツから、前記複数番組に含まれる第１の番組に対して設定された第２の年齢未満の視聴を制限する第２の制限情報を検出し、
前記第１及び第２の制限情報に基づき、前記コンテンツの再生を制御する再生方法。
【発明の詳細な説明】
【技術分野】
【０００１】
本発明の実施形態は、再生装置及び再生方法に関する。
【背景技術】
【０００２】
近年、衛星放送等により提供されるコンテンツ、及びネットワークを介して配信されるコンテンツなどを記録可能なレコーダが普及している。また、近年では、上記コンテンツを記録可能なデジタルテレビジョン放送受信装置も登場している。
【０００３】
上記したように、様々なコンテンツが提供されているが、提供されるコンテンツの中には、性的表現又は暴力的表現を含む有害コンテンツも存在している。例えば、有害コンテンツは、再生制限情報（パレンタルロック）を含む。例えば、コンテンツ再生装置は、有害コンテンツから再生制限情報を検出すると、パスワード入力を要求する。コンテンツ再生装置は、事前に登録された登録パスワードと、前記要求に対応して入力される入力パスワードとが一致することを条件として、有害コンテンツの再生を許可し、有害コンテンツを再生する。
【０００４】
このようにして、コンテンツ再生装置は、有害コンテンツの再生を制限している。他にも、様々な手法により、有害コンテンツの再生を制限する技術が提案されている。
【先行技術文献】
【特許文献】
【０００５】
【特許文献１】特開２０１０−９８５２８号公報
【発明の概要】
【発明が解決しようとする課題】
【０００６】
しかしながら、上記コンテンツ再生装置により有害コンテンツを再生しようとする場合、有害コンテンツの視聴を許される立場のユーザであっても、パスワードの入力作業が発生し、不便であった。
【０００７】
本発明の目的は、再生制限情報を含むコンテンツの再生制御に優れた再生装置及び再生方法を提供することにある。
【課題を解決するための手段】
【０００８】
実施形態の再生装置は、設定手段と、検出手段と、再生制御手段とを備える。前記設定手段は、第１の年齢未満の視聴を制限する第１の制限情報を設定する。前記検出手段は、複数番組を含むコンテンツから、前記複数番組に含まれる第１の番組に対して設定された第２の年齢未満の視聴を制限する第２の制限情報を検出する。前記再生制御手段は、前記第１及び第２の制限情報に基づき、前記コンテンツの再生を制御する。
【図面の簡単な説明】
【０００９】
【図１】図１は、第１及び第２の実施形態に共通のデジタルテレビジョン放送受信装置（再生装置）の構成の一例を示す図である。
【図２】第１の実施形態に係る再生制御（再生抑制）の一例を説明するフローチャートである。
【図３】第２の実施形態に係る再生制御（再生抑制）の一例を説明するフローチャートである。
【図４】第１及び第２の実施形態に共通する年齢制限により再生できない旨を示すプレビュー画面の一例を示す図である。
【図５】第１及び第２の実施形態に共通する年齢制限により再生できない旨を示す全画面の一例を示す図である。
【発明を実施するための形態】
【００１０】
以下、第１及び第２の実施形態について図面を参照して説明する。
【００１１】
図１は、第１及び第２の実施形態に共通のデジタルテレビジョン放送受信装置（再生装置）の構成の一例を示す図である。第１及び第２の実施形態では、デジタルテレビジョン放送受信装置による再生制御について説明する。しかしながら、デジタルテレビジョン放送受信装置による再生制御に限定されるものではない。各種のレコーダ及びプレイヤーにより以下説明する再生制御を実現することも可能である。各種のレコーダ及びプレイヤーとは、例えば、ＨＤＤレコーダ、ＢＤ（Blu-ray）（登録商標）プレイヤー、ＢＤレコーダ、ＤＶＤプレイヤー、ＤＶＤレコーダ等である。
【００１２】
図１を参照して、デジタルテレビジョン放送受信装置１００について説明する。図１に示すように、ＢＳ／ＣＳデジタル放送受信用のアンテナ４７で受信した衛星デジタルテレビジョン放送信号は、入力端子４８を介して衛星デジタル放送用のチューナ４９に供給され、チューナ４９は、指定されたチャンネルの放送信号を選択する。
【００１３】
そして、このチューナ４９で選択された放送信号は、ＰＳＫ（phase shift keying）復調モジュール５０に供給されて、デジタルの映像信号及び音声信号に復調された後、信号処理モジュール５１に出力される。
【００１４】
また、地上波放送受信用のアンテナ５２で受信した地上デジタルテレビジョン放送信号は、入力端子５３を介して地上デジタル放送用のチューナ５４に供給され、チューナ５４は、指定されたチャンネルの放送信号を選択する。
【００１５】
そして、このチューナ５４で選択された放送信号は、ＯＦＤＭ（orthogonal frequency division multiplexing）復調モジュール５５に供給されて、デジタルの映像信号及び音声信号に復調された後、上記信号処理モジュール５１に出力される。
【００１６】
また、上記地上波放送受信用のアンテナ５２で受信した地上アナログテレビジョン放送信号は、入力端子５３を介して地上アナログ放送用のチューナ５６に供給され、チューナ５６は指定されたチャンネルの放送信号を選択する。そして、このチューナ５６で選択された放送信号は、アナログ復調モジュール５７に供給されてアナログの映像信号及び音声信号に復調された後、上記信号処理モジュール５１に出力される。
【００１７】
ここで、上記信号処理モジュール５１は、ＰＳＫ復調モジュール５０及びＯＦＤＭ復調モジュール５５からそれぞれ供給されたデジタルの映像信号及び音声信号に対して、選択的に所定のデジタル信号処理を施し、グラフィック処理モジュール５８及び音声処理モジュール５９に出力している。
【００１８】
また、上記信号処理モジュール５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１００の外部から入力可能とするものである。
【００１９】
そして、この信号処理モジュール５１は、上記アナログ復調モジュール５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理モジュール５８及び音声処理モジュール５９に出力している。
【００２０】
このうち、グラフィック処理モジュール５８は、信号処理モジュール５１から供給されるデジタルの映像信号に、ＯＳＤ（on screen display）信号生成モジュール６１で生成されるＯＳＤ信号を重畳して出力する機能を有する。このグラフィック処理モジュール５８は、信号処理モジュール５１の出力映像信号と、ＯＳＤ信号生成モジュール６１の出力ＯＳＤ信号とを選択的に出力すること、また、両出力を組み合わせて出力することができる。
【００２１】
そして、グラフィック処理モジュール５８から出力されたデジタルの映像信号は、映像処理モジュール６２に供給される。映像処理モジュール６２により処理された映像信号は、映像表示部１４に供給され、また出力端子６３にも供給される。映像表示部１４は、映像信号に基づく映像を表示し、出力端子６３に対して外部機器が接続されると、出力端子６３に供給された映像信号は、外部機器へ入力される。
【００２２】
また、上記音声処理モジュール５９は、入力されたデジタルの音声信号を、前記スピーカ１５で再生可能なアナログ音声信号に変換した後、スピーカ１５に出力して音声出力させるとともに、出力端子６４を介して外部に導出させる。
【００２３】
なお、デジタルテレビジョン放送受像装置１００の制御モジュール６５が、上記した信号処理等を含む全ての処理及び動作を統括的に制御する。制御モジュール６５は、ＣＰＵ（central processing unit）等により構成されている。制御モジュール６５は、操作部１６からの操作情報、または、前記リモートコントローラ１７から送出され受光部１８を介して受信した操作情報に基づき、操作内容が反映されるように各モジュールをそれぞれ制御している。
【００２４】
この場合、制御モジュール６５は、主として、ＣＰＵが実行する制御プログラムを格納したＲＯＭ（read only memory）６６と、ＣＰＵに作業エリアを提供するＲＡＭ（random access memory）６７と、各種の設定情報及び制御情報等が格納される不揮発性メモリ６８とを利用している。
【００２５】
また、この制御モジュール６５は、カードＩ／Ｆ（interface）６９を介して、メモリカード１９が装着可能なカードホルダ７０に接続されている。これによって、制御モジュール６５は、カードホルダ７０に装着されたメモリカード１９と、カードＩ／Ｆ６９を介して情報伝送を行なうことができる。
【００２６】
また、上記制御モジュール６５は、通信Ｉ／Ｆ７３を介してＬＡＮ端子２１と接続されている。これにより、制御モジュール６５は、ＬＡＮ端子２１に接続されたＬＡＮケーブル、及び通信Ｉ／Ｆ７３を介して情報を送受信することができる。例えば、制御モジュール６５は、ＬＡＮケーブル及び通信Ｉ／Ｆ７３を介して、サーバから配信されるコンテンツを受信することができる。
【００２７】
さらに、上記制御モジュール６５は、ＨＤＭＩ Ｉ／Ｆ７４を介してＨＤＭＩ端子２２と接続されている。これにより、制御モジュール６５は、ＨＤＭＩ端子２２に接続されたＨＤＭＩ対応機器と、ＨＤＭＩ Ｉ／Ｆ７４を介して情報伝送を行なうことができる。
【００２８】
さらに、上記制御モジュール６５は、ＵＳＢ Ｉ／Ｆ７６を介してＵＳＢ端子２４と接続されている。これにより、制御モジュール６５は、ＵＳＢ端子２４に接続されたＵＳＢ対応機器と、ＵＳＢ Ｉ／Ｆ７６を介して情報伝送を行なうことができる。
【００２９】
さらに、上記制御モジュール６５は、不揮発性メモリ６８に記憶された録画予約リストに含まれた録画予約情報を参照し、録画動作を制御する。録画先としては、例えば内蔵ＨＤＤ１０１、ＵＳＢ−ＨＤＤ１０２がある。
【００３０】
さらに、上記制御モジュール６５は、明るさセンサー７１からの明るさ検出レベルに基づき、映像表示部１４のバックライトの明るさを制御する。また、上記制御モジュール６５は、カメラ７２からの動画情報に基づき、映像表示部１４の対向位置のユーザ有無を判定し、映像表示部１４の映像をオン／オフ制御する。
【００３１】
次に、デジタルテレビジョン放送受像装置１００による再生制御情報を含むコンテンツの再生制御の一例について説明する。
【００３２】
（第１の実施形態）
図２に示すフローチャートを参照し、第１の実施形態に係る再生制御（再生抑制）の一例について説明する。
【００３３】
第１の実施形態では、１コンテンツ（以下、第１のコンテンツと称する）が１番組（以下、第１の番組と称する）に対応し、デジタルテレビジョン放送受像装置１００が、この第１のコンテンツを再生するケースについて説明する。例えば、第１の番組を含む第１のコンテンツは、チューナ４９、５４、又は通信Ｉ／Ｆ７３を介して受信されたコンテンツである。また、第１のコンテンツは、第１の番組に対して設定された再生制御情報（パレンタル情報）を含むとする。
【００３４】
ユーザは、操作モジュール１６又はリモートコントローラ１７を介して、年齢制限情報（以下、第１の年齢制限情報と称する）を入力することができ、操作モジュール１６又はリモートコントローラ１７は、第１の年齢制限情報の入力に対応して、第１の年齢制限情報を設定する（ＳＴ１０１）。第１の年齢制限情報は、第１の年齢未満の視聴を制限するための情報である。例えば、不揮発性メモリ６８は、設定された第１の年齢制限情報を記憶する。
【００３５】
なお、不揮発性メモリ６８は、事前に設定された登録パスワードを記憶し、第１の年齢制限情報の入力及び変更の要求に対応して、制御モジュール６５は、パスワードの入力を要求する。これに対応して、ユーザは、操作モジュール１６又はリモートコントローラ１７を介して、パスワードを入力し、制御モジュール６５は、登録パスワードと入力パスワードとが一致することを条件として、第１の年齢制限情報の入力及び変更を許可し、新規の第１の年齢制限情報を設定したり、設定された第１の年齢制御情報を変更したりする。
【００３６】
続いて、ユーザは、操作モジュール１６又はリモートコントローラ１７を介して、第１のコンテンツの再生を要求することができる。例えば、ユーザが、操作モジュール１６又はリモートコントローラ１７を介して、映像入力先を選択し、チャンネルを選択し、選択されたチャンネルにより提供される第１のコンテンツの再生を要求すると、制御モジュール６５は、選択されたチャンネルにより提供される第１のコンテンツの再生可否を判定する。或いは、ユーザが、操作モジュール１６又はリモートコントローラ１７を介して、内蔵ＨＤＤ１０１に記憶された複数コンテンツのリスト表示を指示し、リスト表示された複数コンテンツの中から第１のコンテンツを選択し、第１のコンテンツの再生を要求すると、制御モジュール６５は、選択された第１のコンテンツの再生可否を判定する。
【００３７】
制御モジュール６５は、第１のコンテンツの再生要求を受けて（ＳＴ１０２）、第１のコンテンツから再生制御情報を検出し、再生制御情報から第１の番組に設定された年齢制限情報（以下、第２の年齢制限情報と称する）を検出する（ＳＴ１０３、ＹＥＳ）。制御モジュール６５は、設定された第１の年齢制限情報と、検出された第２の年齢制限情報とに基づき、第１のコンテンツ（第１の番組）の再生を制御（抑制）する。なお、第２の年齢制限情報は、第２の年齢未満の視聴を制限するための情報である。
【００３８】
例えば、制御モジュール６５は、第２の年齢制限情報の第２の年齢が第１の年齢制限情報の第１の年齢を超える場合（ＳＴ１０４、ＹＥＳ）、第１のコンテンツ（第１の番組）の再生を拒否し、第１のコンテンツ（第１の番組）を再生しない（ＳＴ１０５）。例えば、制御モジュール６５は、第１の番組を第１の画面サイズ（小画面）で再生するプレビュー再生を拒否し、第１の番組を第１の画面サイズより大きい第２の画面サイズ（全画面）で再生する通常再生も拒否する。
【００３９】
さらに、制御モジュール６５は、年齢制限により第１のコンテンツを再生しないことを示す再生不可情報の出力を指示し、これに対応して、ＯＳＤ信号生成モジュール６１は、再生不可情報を出力する。例えば、ユーザが、操作モジュール１６又はリモートコントローラ１７を介して、第１のコンテンツの存在を示す項目又はアイコン等を選択すると、例えば、図４に示すように、映像表示部１４は、再生不可情報を小画面に表示する。また、ユーザが、操作モジュール１６又はリモートコントローラ１７を介して、第１の番組の存在を示す項目又はアイコン等を選択しさらに第１の番組の再生を指定しても、例えば、図５に示すように、映像表示部１４は、再生不可情報を全画面に表示する。
【００４０】
また、制御モジュール６５は、第２の年齢制限情報の第２の年齢が第１の年齢制限情報の第１の年齢を超えない場合（ＳＴ１０４、ＮＯ）、第１のコンテンツ（第１の番組）の再生を許可し、第１のコンテンツ（第１の番組）を再生する（ＳＴ１０６）。
【００４１】
また、制御モジュール６５が、第１のコンテンツの再生制御情報から年齢制限情報を検出することができなかった場合にも（ＳＴ１０３、ＮＯ）、第１のコンテンツ（第１の番組）の再生を許可し、第１のコンテンツ（第１の番組）を再生する（ＳＴ１０６）。
【００４２】
（第２の実施形態）
第２の実施形態では、１コンテンツ（以下、第１のコンテンツと称する）が複数番組（例えば第１及び第２の番組）に対応し、デジタルテレビジョン放送受像装置１００が、この第１のコンテンツを再生するケースについて説明する。例えば、第１及び第２の番組を含む第１のコンテンツは、チューナ４９、５４、又は通信Ｉ／Ｆ７３を介して受信されたコンテンツである。また、第１のコンテンツは、第１の番組に対して設定された第１の再生制御情報（第１のパレンタル情報）、及び第２の番組に対して設定された第２の再生制御情報（第２のパレンタル情報）を含むとする。
【００４３】
例えば次のようなケースにおいて、第１のコンテンツが第１及び第２の番組を含む。
【００４４】
最初に、時間指定記録のケースについて説明する。例えば、ユーザが、操作モジュール１６又はリモートコントローラ１７を介して、時間指定記録を指示し、さらに、操作モジュール１６又はリモートコントローラ１７を介して、記録開始日時、記録終了日時、及び記録チャンネルを入力すると、制御モジュール６５は、不揮発性メモリ６８に対して、番組記録情報（記録開始日時、記録終了日時、及び記録チャンネル）を設定する。例えば、制御モジュール６５が、記録開始日時：１０月１日ＡＭ９時、記録終了日時：１０月１日ＡＭ１１：００、記録チャンネル：チャンネル２００を設定する。そして、チャンネル２００において、１０月１日ＡＭ９時〜１０時で第１の番組が提供され、１０月１日ＡＭ９時〜１０時で第２の番組が提供されているとする。この場合、制御モジュール６５は、番組Ａ及び番組Ｂを含む第１のコンテンツを内蔵ＨＤＤ１０１に記録する。
【００４５】
続いて、編集処理のケースについて説明する。例えば、ユーザが、操作モジュール１６又はリモートコントローラ１７を介して、編集処理を指示し、さらに、操作モジュール１６又はリモートコントローラ１７を介して、内蔵ＨＤＤ１０１に記憶された第１及び第２の番組を結合する結合処理を指示すると、制御モジュール６５は、第１及び第２の番組を含む第１のコンテンツを内蔵ＨＤＤ１０１上に生成する。
【００４６】
ユーザは、操作モジュール１６又はリモートコントローラ１７を介して、年齢制限情報（以下、第１の年齢制限情報と称する）を入力することができ、操作モジュール１６又はリモートコントローラ１７は、第１の年齢制限情報の入力に対応して、第１の年齢制限情報を設定する。第１の年齢制限情報は、第１の年齢未満の視聴を制限するための情報である。例えば、不揮発性メモリ６８は、設定された第１の年齢制限情報を記憶する。
【００４７】
続いて、ユーザは、操作モジュール１６又はリモートコントローラ１７を介して、第１のコンテンツの再生を要求することができる。例えば、ユーザが、操作モジュール１６又はリモートコントローラ１７を介して、映像入力先を選択し、チャンネルを選択し、選択されたチャンネルにより提供される第１のコンテンツの再生を要求すると、制御モジュール６５は、選択されたチャンネルにより提供される第１のコンテンツの再生可否を判定する。或いは、ユーザが、操作モジュール１６又はリモートコントローラ１７を介して、内蔵ＨＤＤ１０１に記憶された複数コンテンツのリスト表示を指示し、リスト表示された複数コンテンツの中から第１のコンテンツを選択し、第１のコンテンツの再生を要求すると、制御モジュール６５は、選択された第１のコンテンツの再生可否を判定する。
【００４８】
制御モジュール６５は、第１のコンテンツから第１の再生制御情報を検出し、第１の再生制御情報から第１の番組に設定された年齢制限情報（以下、第２の年齢制限情報と称する）を検出し、設定された第１の年齢制限情報と、検出された第２の年齢制限情報とに基づき、第１のコンテンツ（第１の番組）の再生を制御（抑制）する。なお、第２の年齢制限情報は、第２の年齢未満の視聴を制限するための情報である。
【００４９】
また、制御モジュール６５は、第１のコンテンツから第２の再生制御情報を検出し、第２の再生制御情報から第２の番組に設定された年齢制限情報（以下、第３の年齢制限情報と称する）を検出し、設定された第１の年齢制限情報と、検出された第３の年齢制限情報とに基づき、第１のコンテンツ（第２の番組）の再生を制御（抑制）する。なお、第３の年齢制限情報は、第３の年齢未満の視聴を制限するための情報である。
【００５０】
例えば、制御モジュール６５は、第２の年齢制限情報の第２の年齢が第１の年齢制限情報の第１の年齢を超える場合、第１の番組の再生を拒否し、第１の番組を再生しない。例えば、制御モジュール６５は、第１の番組を第１の画面サイズ（小画面）で再生するプレビュー再生を拒否し、第１の番組を第１の画面サイズより大きい第２の画面サイズ（全画面）で再生する通常再生も拒否する。
【００５１】
また、制御モジュール６５は、第３の年齢制限情報の第３の年齢が第１の年齢制限情報の第１の年齢を超える場合、第２の番組の再生を拒否し、第２の番組を再生しない。例えば、制御モジュール６５は、第２の番組を第１の画面サイズ（小画面）で再生するプレビュー再生を拒否し、第２の番組を第１の画面サイズより大きい第２の画面サイズ（全画面）で再生する通常再生も拒否する。
【００５２】
また、制御モジュール６５は、第２の年齢が第１の年齢を超え、第３の年齢が第１の年齢を超えない場合、第１の番組の再生を省略して、第２の番組から再生を開始する。例えば、ユーザが、操作モジュール１６又はリモートコントローラ１７を介して、第１のコンテンツの存在を示す項目又はアイコン等を選択すると、映像表示部１４は、年齢制限により第１の番組を再生しないことを示す再生不可情報を小画面に表示し、所定時間経過後に、第２の番組の再生映像を小画面に表示する。また、ユーザが、操作モジュール１６又はリモートコントローラ１７を介して、第１のコンテンツの存在を示す項目又はアイコンから第１のコンテンツの再生を指定すると、映像表示部１４は、年齢制限により第１の番組を再生しないことを示す再生不可情報を全画面に表示し、所定時間経過後に、第２の番組の再生映像を全画面に表示する。
【００５３】
或いは、制御モジュール６５は、第２の年齢が第１の年齢を超え、第３の年齢が第１の年齢を超えない場合、第１のコンテンツの再生を拒否（第１及び第２の番組の両方の再生を拒否）し、第１のコンテンツ（第１及び第２の番組の両方）を再生しないようにしてもよい。この場合、ユーザが、操作モジュール１６又はリモートコントローラ１７を介して、第１のコンテンツの存在を示す項目又はアイコン等を選択すると、映像表示部１４は、年齢制限により第１のコンテンツ（第１及び第２の番組）を再生しないことを示す再生不可情報を小画面に表示する。また、ユーザが、操作モジュール１６又はリモートコントローラ１７を介して、第１のコンテンツの存在を示す項目又はアイコンから第１のコンテンツの再生を指定すると、映像表示部１４は、年齢制限により第１のコンテンツ（第１及び第２の番組）を再生しないことを示す再生不可情報を全画面に表示する。
【００５４】
また、制御モジュール６５は、第２の年齢が第１の年齢を超えない場合、或いは、第２の年齢制限情報が検出されない場合、第１の番組の再生を許可し、第１の番組を再生する。これにより、映像表示部１４は、第１の番組に対応する映像を表示する。また、制御モジュール６５は、第３の年齢が第１の年齢を超えない場合、或いは、第３の年齢制限情報が検出されない場合、第２の番組を許可し、第２の番組を再生する。これにより、映像表示部１４は、第２の番組に対応する映像を表示する。
【００５５】
また、制御モジュール６５は、第１のコンテンツに含まれた第１の番組の再生のタイミングで、第１の番組に対して設定された第２の年齢制限情報を取得し、第１の年齢制限情報と第２の年齢制限情報とに基づき、第１の番組の再生を制御（抑制）し、また、第１のコンテンツに含まれた第２の番組の再生のタイミングで、第２の番組に対して設定された第３の年齢制限情報を取得し、第１の年齢制限情報と第３の年齢制限情報とに基づき、第２の番組の再生を制御（抑制）するようにしてもよい。
【００５６】
次に、図３に示すフローチャートを参照し、第２の実施形態に係る再生制御の一例について説明する。ここで説明する再生制御は、例えば、第１及び第２の番組を含む第１のコンテンツのストリーミング再生に適用することができる。
【００５７】
上記したように、ユーザは、操作モジュール１６又はリモートコントローラ１７を介して、第１の年齢制限情報を入力することができ、操作モジュール１６又はリモートコントローラ１７は、第１の年齢制限情報の入力に対応して、第１の年齢制限情報を設定する（ＳＴ２０１）。
【００５８】
制御モジュール６５は、第１のコンテンツの再生要求を受けて（ＳＴ２０２）、第１のコンテンツに含まれる年齢制限情報の監視を開始し（ＳＴ２０３）、第１のコンテンツに含まれる第１の番組に設定された第２の年齢制限情報を検出し（ＳＴ２０４、ＹＥＳ）、第２の年齢制限情報の第２の年齢が第１の年齢制限情報の第１の年齢を超える場合（ＳＴ２０５、ＹＥＳ）、第１の番組の再生を拒否し、第１の番組を再生しない（ＳＴ２０６）。また、制御モジュール６５は、第２の年齢が第１の年齢を超えない場合（ＳＴ２０５、ＮＯ）、第１の番組の再生を許可し、第１の番組を再生する（ＳＴ２０７）。また、制御モジュール６５が、第１の番組に設定された第２の年齢制限情報を検出することができなかった場合にも（ＳＴ１０４、ＮＯ）、第１の番組の再生を許可し、第１の番組を再生する（ＳＴ２０７）。
【００５９】
制御モジュール６５が、第１のコンテンツの再生終了指示を検出しなければ（ＳＴ２０８、ＮＯ）、引き続き、第１のコンテンツに含まれる年齢制限情報の監視を継続し（ＳＴ２０３）、第１のコンテンツに含まれる第２の番組に設定された第３の年齢制限情報を検出し（ＳＴ２０４、ＹＥＳ）、第３の年齢制限情報の第３の年齢が第１の年齢制限情報の第１の年齢を超える場合（ＳＴ２０５、ＹＥＳ）、第２の番組の再生を拒否し、第２の番組を再生しない（ＳＴ２０６）。また、制御モジュール６５は、第３の年齢が第１の年齢を超えない場合（ＳＴ２０５、ＮＯ）、第２の番組の再生を許可し、第２の番組を再生する（ＳＴ２０７）。また、制御モジュール６５が、第２の番組に設定された第３の年齢制限情報を検出することができなかった場合にも（ＳＴ２０４、ＮＯ）、第２の番組の再生を許可し、第２の番組を再生する（ＳＴ２０７）。
【００６０】
なお、上記再生制御は、デジタルテレビジョン放送受信装置１００のプレイリスト再生にも適用できる。例えば、制御モジュール６５は、事前に指定された複数の番組（例えば第１及び第２の番組）をプレイリストに登録し、このプレイリストに基づき複数の番組を連続再生（プレイリスト再生）することができる。プレイリスト再生中に、制御モジュール６５は、プレイリストに登録された各番組に対して設定された年齢制限情報を監視し、各番組の再生を制御する。
【００６１】
以下、上記説明した第１の実施形態及び第２の実施形態についてまとめる。
【００６２】
近年、視聴年齢制限が設定された番組（例えばアダルトコンテンツ）が放送されている。また、視聴年齢制限番組をＬＡＮ経由で受信し記録するデジタルメディアサーバ（ＤＭＳ）機能を搭載したレコーダも増えている。レコーダは、記録された視聴年齢制限番組ををデジタルメディアプレイヤー（ＤＭＰ）機能で再生することができる。また、レコーダは、配信された複数の番組のタイトルなどをリスト表示するための表示情報を出力することができる。これに対応して、ＴＶ等の表示部は、配信された複数の番組のタイトルなどをリスト表示する。リスト表示の中から１番組のタイトルが選択されると、レコーダは、選択されたタイトルに対応した番組を再生する。しかしながら、１台のレコーダをユーザＡ、Ｂが使用する場合、ユーザＡが視聴年齢制限番組を記録し、ユーザＡは視聴年齢制限番組をユーザＢ（例えば子供）に見せたくないことがある。つまり、ユーザＡは視聴年齢制限番組の再生を制限したい。
【００６３】
上記第１及び第２の実施形態で説明したデジタルテレビジョン放送受像装置１００は、サーバから配信されるコンテンツの再生やデジタルメディアコントローラ（ＤＭＣ）から指示されたコンテンツをサーバに問い合わせ再生する機能を備え、再生対象のコンテンツのストリーム中のパレンタル情報を取得し、事前に設定された視聴年齢制限と、取得したパレンタル情報に含まれた視聴年齢制限とを比較し、パレンタル情報に含まれた視聴年齢制限が、事前に設定された視聴年齢制限を超える場合、前記再生対象のコンテンツの再生を抑制し、例えば、コンテンツを再生しない。
【００６４】
なお、上記したモジュールとは、ハードウェアで実現するものであっても良いし、ＣＰＵ等を使ってソフトウェアで実現するものであってもよい。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１…デジタルテレビジョン放送受信装置、１４…映像表示部、１５…スピーカ、１６…操作部、１７…リモートコントローラ、１８…受光部、１９…メモリカード、２１…ＬＡＮ端子、２２…ＨＤＭＩ端子、２４…ＵＳＢ端子、４７…アンテナ、４８…入力端子、４９…チューナ、５０…ＰＳＫ復調モジュール、５１…信号処理モジュール、５２…アンテナ、５３…入力端子、５４…チューナ、５５…ＯＦＤＭ復調モジュール、５６…チューナ、５７…アナログ復調モジュール、５８…グラフィック処理モジュール、５９…音声処理モジュール、６０ａ〜６０ｄ…入力端子、６１…ＯＳＤ信号生成モジュール、６２…映像処理モジュール、６５…制御モジュール、６６…ＲＯＭ、６７…ＲＡＭ、６８…不揮発性メモリ、６９…カードＩ／Ｆ、７０…カードホルダ、７３…通信Ｉ／Ｆ、７４…ＨＤＭＩＩ／Ｆ、７６…ＵＳＢＩ／Ｆ、１０１…内蔵ＨＤＤ
【図１】
2012089951.tif 000003
【図２】
2012089951.tif 000004
【図３】
2012089951.tif 000005
【図４】
2012089951.tif 000006
【図５】
2012089951.tif 000007
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
第１の年齢未満の視聴を制限する第１の制限情報を設定する設定手段と、
第１の番組と前記第１の番組の後続の第２の番組とを含むコンテンツから、前記第１の番組に対して設定された第２の年齢未満の視聴を制限する第２の制限情報、及び前記第２の番組に対して設定された第３の年齢未満の視聴を制限する第３の制限情報を検出する検出手段と、
前記第１及び第２の制限情報に基づく前記第１の番組の再生不可判定と、前記第１及び第３の制限情報に基づく前記第２の番組の再生可能判定とに従い、前記コンテンツの再生指示に対応して前記第２の番組から再生を開始する再生制御手段と、
を備えた再生装置。
【請求項２】
前記コンテンツの再生指示及び前記第１の番組の再生不可判定に対応して、年齢制限により前記第１の番組を再生しないことを示す再生不可情報を出力する情報出力手段を備えた請求項１に記載の再生装置。
【請求項３】
前記情報出力手段は、前記再生不可情報を出力した後、前記第２の番組から再生を開始する請求項２に記載の再生装置。
【請求項４】
前記再生制御手段は、前記第１及び第２の制限情報に基づく前記第１の番組の再生可能判定と、前記第１及び第３の制限情報に基づく前記第２の番組の再生不可判定とに従い、前記コンテンツの再生指示に対応して前記第１の番組から再生をし、第２の番組の再生を制限する請求項１乃至３の何れか１項に記載の再生装置。
【請求項５】
前記再生制御手段は、前記第２の年齢が前記第１の年齢を超える場合、前記第１の番組の再生不可を判定する請求項１乃至４の何れか１項に記載の再生装置。
【請求項６】
前記再生制限手段は、前記第３の年齢が前記第１の年齢を超える場合、前記第２の番組の再生不可を判定する請求項４に記載の再生装置。
【請求項７】
前記再生制御手段は、前記第２の年齢が前記第１の年齢を超えない場合、前記第１の番組を再生し、前記第３の年齢が前記第１の年齢を超えない場合、前記第１の番組の再生に続いて前記第２の番組を再生する請求項１乃至６の何れか１項に記載の再生装置。
【請求項８】
前記再生制御手段は、前記第２の制限情報の未検出に基づき、前記第１の番組を再生し、前記第３の制限情報の未検出に基づき、前記第１の番組の再生に続いて前記第２の番組を再生する請求項１乃至７の何れか１項に記載の再生装置。
【請求項９】
記録開始日時、記録終了日時、及び所定チャンネルの設定に対応して、前記記録開始日時から前記記録終了日時まで前記所定チャンネルを選択し、この選択した前記所定チャンネルで放送される前記第１及び第２の番組を前記コンテンツとして記録する記録手段を備えた請求項１乃至８の何れか１項に記載の再生装置。
【請求項１０】
前記第１及び第２の番組を前記コンテンツとして編集する編集手段を備えた請求項１乃至９の何れか１項に記載の再生装置。
【請求項１１】
前記再生制御手段は、前記第２の年齢が前記第１の年齢を超える場合、前記第１の番組を第１の画面サイズで再生するプレビュー再生、及び前記第１の番組を前記第１の画面サイズより大きい第２の画面サイズで再生する通常再生を拒否する請求項１乃至１０の何れか１項に記載の再生装置。
【請求項１２】
前記再生制御手段は、前記第３の年齢が前記第１の年齢を超える場合、前記第２の番組を第１の画面サイズで再生するプレビュー再生、及び前記第２の番組を前記第１の画面サイズより大きい第２の画面サイズで再生する通常再生を拒否する請求項１乃至１１の何れか１項に記載の再生装置。
【請求項１３】
前記コンテンツは、前記第１の番組と前記第２の番組とを含む一つの録画コンテンツである請求項１乃至１２の何れか１項に記載の再生装置。
【請求項１４】
設定手段は、第１の年齢未満の視聴を制限する第１の制限情報を設定し、
検出手段は、第１の番組と前記第１の番組の後続の第２の番組とを含むコンテンツから、前記第１の番組に対して設定された第２の年齢未満の視聴を制限する第２の制限情報、及び前記第２の番組に対して設定された第３の年齢未満の視聴を制限する第３の制限情報を検出し、
再生制御手段は、前記第１及び第２の制限情報に基づく前記第１の番組の再生不可判定と、前記第１及び第３の制限情報に基づく前記第２の番組の再生可能判定とに従い、前記コンテンツの再生指示に対応して前記第２の番組から再生を開始する再生方法。
【手続補正２】
【補正対象書類名】明細書
【補正対象項目名】００６５
【補正方法】変更
【補正の内容】
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下、本願の出願当初の特許請求の範囲に記載された発明を付記する。
［１］
第１の年齢未満の視聴を制限する第１の制限情報を設定する設定手段と、
複数番組を含むコンテンツから、前記複数番組に含まれる第１の番組に対して設定された第２の年齢未満の視聴を制限する第２の制限情報を検出する検出手段と、
前記第１及び第２の制限情報に基づき、前記コンテンツの再生を制御する再生制御手段と、
を備えた再生装置。
［２］
前記再生制御手段は、前記第１及び第２の制限情報に基づき、前記第１の番組の再生を制御する［１］に記載の再生装置。
［３］
前記検出手段は、前記複数番組に含まれる第２の番組に対して設定された第３の年齢未満の視聴を制限する第３の制限情報を検出し、
前記再生制御手段は、前記第１及び第３の制限情報に基づき、前記第２の番組の再生を制御する［２］に記載の再生装置。
［４］
前記再生制御手段は、前記第２の年齢が前記第１の年齢を超える場合、前記第１の番組の再生を拒否する［１］乃至［３］の何れか１つに記載の再生装置。
［５］
前記再生制限手段は、前記第３の年齢が前記第１の年齢を超える場合、前記第２の番組の再生を拒否する［３］に記載の再生装置。
［６］
前記再生制御手段は、前記第２の年齢が前記第１の年齢を超えない場合、前記第１の番組を再生し、前記第３の年齢が前記第１の年齢を超えない場合、前記第２の番組を再生する［３］又は［５］に記載の再生装置。
［７］
前記再生制御手段は、前記第２の制限情報の未検出に基づき、前記第１の番組を再生し、前記第３の制限情報の未検出に基づき、前記第２の番組を再生する［３］又は［５］に記載の再生装置。
［８］
前記再生制御手段は、前記第２の年齢が前記第１の年齢を超える場合、前記コンテンツの再生を拒否する［１］又は［２］に記載の再生装置。
［９］
記録開始日時、記録終了日時、及び所定チャンネルの設定に対応して、前記記録開始日時から前記記録終了日時まで前記所定チャンネルを選択し、この選択した前記所定チャンネルで放送される前記第１及び第２の番組を前記コンテンツとして記録する記録手段を備えた［１］乃至［８］の何れか１つに記載の再生装置。
［１０］
前記第１及び第２の番組を前記コンテンツとして編集する編集手段を備えた［１］乃至［９］の何れか１項に記載の再生装置。
［１１］
前記第１の番組の再生拒否に対応して、年齢制限により前記第１の番組を再生しないことを示す再生不可情報を出力する情報出力手段を備えた［４］に記載の再生装置。
［１２］
前記再生制御手段は、前記第２の年齢が前記第１の年齢を超える場合、前記第１の番組を第１の画面サイズで再生するプレビュー再生、及び前記第１の番組を前記第１の画面サイズより大きい第２の画面サイズで再生する通常再生を拒否する［１］乃至［３］の何れか１つに記載の再生装置。
［１３］
前記再生制御手段は、前記第２の年齢が前記第１の年齢を超える場合、前記コンテンツを第１の画面サイズで再生するプレビュー再生を拒否し、及び前記コンテンツを前記第１の画面サイズより大きい第２の画面サイズで再生する通常再生を拒否する［１］又は［２］に記載の再生装置。
［１４］
第１の年齢未満の視聴を制限する第１の制限情報を設定し、
複数番組を含むコンテンツから、前記複数番組に含まれる第１の番組に対して設定された第２の年齢未満の視聴を制限する第２の制限情報を検出し、
前記第１及び第２の制限情報に基づき、前記コンテンツの再生を制御する再生方法。